(57)【要約】【課題】蒸気の発生効率を向上させつつ、快適なミスト入浴等が可能になると共に室内のデサイン低下を防止したり、フロアを含めた室内を所望状態に設定し得る蒸気発生装置の設置構造を提供する。【解決手段】拡散手段から湯水が拡散されることにより蒸気を発生させる熱交換器と送風手段とが筐体内に配置された蒸気発生装置を、室内のフロア面より低い位置に埋設状態で設置し、送風手段が作動した際に熱交換器で発生した蒸気をフロアに設けた吹出口から室内に吹き出すことを特徴とする。前記フロアは、吹出口が設けられた上フロアと防水機能を有する下フロアの二重構造で形成され、上下フロア間に蒸気発生装置が設置される。【選択図】  図１
2007143902.tif 000002
【特許請求の範囲】
【請求項１】
拡散手段から湯水が拡散されることにより蒸気を発生させる熱交換器と送風手段とが筐体内に配置された蒸気発生装置を、室内のフロアより低い位置に埋設状態で設置し、前記送風手段が作動した際に前記熱交換器で発生した蒸気をフロアに設けた吹出口から室内に吹き出すことを特徴とする蒸気発生装置の設置構造。
【請求項２】
前記フロアは、前記吹出口が設けられた上フロアと防水機能を有する下フロアの二重構造で形成され、上下フロア間に前記蒸気発生装置が設置されていることを特徴とする請求項１に記載の蒸気発生装置の設置構造。
【請求項３】
前記吹出口に開閉可能なルーバが設けられ、該ルーバの開閉状態に応じて前記蒸気発生装置の作動が制御されることを特徴とする請求項１または２に記載の蒸気発生装置の設置構造。
【請求項４】
前記吹出口が室内の出入口部分に設けられて簀の子の機能を兼用していることを特徴とする請求項１ないし３のいずれかに記載の蒸気発生装置の設置構造。
【請求項５】
前記蒸気発生装置は、前記フロアと面一状態で着脱可能に配設されたフロア部材の下方の空間内に設置されていることを特徴とする請求項１ないし４のいずれかに記載の蒸気発生装置の設置構造。
【発明の詳細な説明】
【技術分野】
【０００１】
本発明は、例えばシステムバスルーム等の浴室に設置されて室内に蒸気を発生させる蒸気発生装置の設置構造に関する。
【背景技術】
【０００２】
従来、浴室の天井に設置される蒸気発生装置としては、例えば特許文献１に開示されている。この特許文献１に開示のミスト装置（蒸気発生装置）は、横長の装置本体部内に熱交換器を斜めの状態で配置し、この熱交換器の一次側に吸込口を設けると共に二次側に循環ファンを設け、熱交換器で高温とされた温風を循環ファンの作動により吹出口から浴室内に噴出させると共に、装置本体部の開口を閉塞するグリルの吸込口の近傍外側に、温水供給管と複数の噴出ノズルとで構成したミスト噴出手段を配置し、このミスト噴出手段から浴室内にミスト（蒸気）を直接噴出させるようにしたものである。
【特許文献１】特開２００２−３３６３２７号公報
【発明の開示】
【発明が解決しようとする課題】
【０００３】
しかしながら、このような蒸気発生装置においては、装置本体部内に配置された熱交換器が蒸気を発生させるものではないことから、給湯機から温水供給管に供給される温水をミストとして噴出ノズルから噴出するミスト噴出手段を、装置本体部の開口端部に設ける必要があり蒸気の発生効率が劣り、十分な量の蒸気を浴室内に短時間に発生させることが難しい。また、蒸気を発生させるミスト噴出手段が浴室の天井部分に浴室内に突出する状態で配置されるため、浴室の特に天井部分のデザイン性を損なう虞があると共に、蒸気発生装置の運転後に蒸気の吹出口部分に発生し易い結露が浴室内に落下して、入浴者が不快感を感じる虞もある。
【０００４】
本発明は、このような事情に鑑みてなされたもので、その目的は、蒸気の発生効率を向上させつつ、快適なミスト入浴等が可能になると共に室内のデサイン低下を防止し得る蒸気発生装置の設置構造を提供することにある。また、他の目的は、前記目的に加え、フロアを含めた室内を所望状態に設定し得る蒸気発生装置の設置構造を提供することにある。
【課題を解決するための手段】
【０００５】
かかる目的を達成すべく、本発明のうち請求項１に記載の発明は、拡散手段から湯水が拡散されることにより蒸気を発生させる熱交換器と送風手段とが筐体内に配置された蒸気発生装置を、室内のフロアより低い位置に埋設状態で設置し、前記送風手段が作動した際に前記熱交換器で発生した蒸気をフロアに設けた吹出口から室内に吹き出すことを特徴とする。
【０００６】
そして、前記フロアは、請求項２に記載の発明のように、前記吹出口が設けられた上フロアと防水機能を有する下フロアの二重構造で形成され、上下フロア間に前記蒸気発生装置が設置されていることが好ましい。また、請求項３に記載の発明のように、前記吹出口に開閉可能なルーバが設けられ、該ルーバの開閉状態に応じて前記蒸気発生装置の作動が制御されることが好ましい。さらに、請求項４に記載の発明のように、前記吹出口が室内の出入口部分に設けられて簀の子の機能を兼用していることが好ましく、また、前記蒸気発生装置は、請求項５に記載の発明のように、前記フロアと面一状態で着脱可能に配設されたフロア部材の下方の空間内に設置されていることが好ましい。
【発明の効果】
【０００７】
本発明の請求項１に記載の発明によれば、熱交換器と送風手段とを有する蒸気発生装置が、室内のフロアより低い位置に埋設状態で設置され、送風手段が作動した際に熱交換器で発生した蒸気をフロアに設けた吹出口から室内に吹き出すため、拡散手段から湯水が拡散される熱交換器により蒸気の発生効率を向上させつつ、蒸気をフロアから室内に吹き出すことができて快適なミスト入浴等が可能になると共に、室内へ突出物がなくなり室内のデサイン低下を防止することができる。
【０００８】
また、請求項２に記載の発明によれば、請求項１に記載の発明の効果に加え、フロアが吹出口を有する上フロアと防水機能を有する下フロアの二重構造で形成され、上下フロア間に蒸気発生装置が設置されているため、蒸気発生装置をフロア下方に簡易な構造で埋設状態で設置できると共に、拡散手段から拡散された湯水の回収を下フロアで確実に行うことができて、排水構造等を簡略化することができる。
【０００９】
また、請求項３に記載の発明によれば、請求項１または２に記載の発明の効果に加え、吹出口に開閉可能に設けられたルーバの開閉状態に応じて蒸気発生装置の作動が制御されるため、例えばルーバを閉じた状態で蒸気発生装置の温風によりフロアを暖房した床暖房（床乾燥）状態を得ることができると共に、ルーバを開いた状態で蒸気や温風を吹出口から吹き出すことにより室内にミスト暖房状態やドライ暖房状態が得られる等、フロアを含めた室内を所望状態に簡単に設定することができる。
【００１０】
さらに、請求項４に記載の発明によれば、請求項１ないし３に記載の発明の効果に加え、吹出口が室内の出入口部分に設けられて簀の子の機能を兼用しているため、脱衣場等へ湯水が流れ出てしまうことを防ぐことができる。
【００１１】
また、請求項５に記載の発明によれば、請求項１ないし４に記載の発明の効果に加え、蒸気発生装置がフロアと面一状態で着脱可能に配設されたフロア部材の下方の空間内に設置されているため、フロア部材を取り外すことにより蒸気発生装置の点検・修理等を簡単に行うことができて、そのメンテナンス性を向上させることができる。
【発明を実施するための最良の形態】
【００１２】
以下、本発明の実施の形態を図面に基づいて詳細に説明する。
図１〜図５は、本発明に係わる蒸気発生装置の設置構造の第１実施形態を示し、図１がその浴室の平面図、図２が要部の縦断面図、図３がその動作状態の縦断面図、図４が熱交換器の概略構成図、図５が蒸気発生装置の動作説明図である。
【００１３】
図１に示すように、本発明に係わる蒸気発生装置１が設置される浴室２は、壁パネル３ａ〜３ｄ等により平面視長方形状に形成されて、図示しない浴槽側フロア上に浴槽４が載置状態で設置され、この浴槽４の側方には、壁パネル３ｂ側にカウンター６が配置された洗い場側フロア５が設置されている。そして、この洗い場側フロア５には、その略中央位置に開閉可能なルーバ７と着脱可能な蓋体として機能するフロア部材８が、次のようにして配置されている。
【００１４】
すなわち、図２及び図３に示すように、前記洗い場側フロア５は、洗い場面としてのフロア面を形成する上フロア５ａと、この上フロア５ａの下方に所定の間隔寸法を有して配置された下フロア５ｂとの二重構造で構成されている。この上フロア５ａと下フロア５ｂ間には、前記間隔寸法に対応した空間９が形成され、この時、空間９を形成する下フロア５ｂは、所定の水勾配を有して下フロア５ｂ上の湯水を洗い場の排水口１０（図１参照）に設けられた排水トラップ（図示せず）に排水できるように構成されている。
【００１５】
そして、空間９の上面開口部には、前記ルーバ７とフロア部材８が配設され、このうち、ルーバ７は、その回動軸７ａが図示しないモータの回転軸に連結されており、制御装置１１（図１参照）の制御信号でモータが回転することにより、図２に示す閉位置に設定されて上フロア５ａのフロア面と面一状態に設定されると共に、図３に示す開位置に設定されることにより、各ルーバ７間に吹出口１２が形成されるようになっている。
【００１６】
また、前記フロア部材８は、略平板状に形成されて空間９の上面開口部の前記ルーバ７が配置されていない部分を上フロア５ａのフロア面と面一状態で閉塞すると共に、上フロア５ａから取り外すことにより前記空間９が上方に開口するようになっている。このフロア部材８の下方の空間９内に、前記蒸気発生装置１が下フロア５ｂのフロア面から所定高さ浮いた状態で設置金具１３等により設置されている。この蒸気発生装置１は、図４に示すように、薄型扁平の筐体１５を有し、この筐体１５内には、内部に通風路を形成する所定形状の整流板１６が設けられると共に、通風路の上流側となる図において左端側に蒸気発生用の熱交換器１７が傾斜状態で配置され、また通風路の下流側となる右端側に主に温風発生用として使用される熱交換器１８が略垂直状態で配置されている。
【００１７】
また、通風路の最下流側となる熱交換器１８の二次側には、送風手段としての送風ファン１９が配置されると共に、熱交換器１７の上部には、該熱交器１７上に所定温度の湯水を拡散（放散、吐出、噴出、噴射、吹付け、噴霧等も含む）させる拡散手段としての拡散パイプ２０が配置されている。この拡散パイプ２０には、図示しない給湯機の給湯口が接続され、給湯機が作動することにより所定温度の湯水が供給されて、その噴出孔（図示せず）から熱交換器１７上に湯水が拡散されるようになっている。
【００１８】
さらに、筐体１５の側壁（もしくは上面壁）には、図示しないフィルター等を有する例えばスリット状（もしくは格子状）の吸気口２２が設けられ、この吸気口２２は、空間９の外周部に設けられる図示しない隙間等を介して浴室２内に連通状態とされて、後述する如く送風ファン１９が作動した際に、浴室２内の空気が隙間及び吸気口２２を介して筐体１５内に吸気されるようになっている。また、筐体１５の送風ファン１９が配置される側の側壁には吐出口２３が設けられると共に、筐体１５の熱交換器１７の下方の底壁には、熱交換器１７に拡散された湯水を筐体１５外の下フロア５ｂ上に排出する所定形態の排水孔２４が形成されている。
【００１９】
前記熱交換器１７、１８は、多数枚並設されたフィン１７ａ、１８ａと、このフィン１７ａ、１８ａを連結する温水供給管１７ｂ、１８ｂ等を備えており、温水供給管１７ｂ、１８ａに前記給湯機の循環口から所定温度の湯水が循環供給されることによりフィン１７ａ、１８ａが所定温度に加温されるようになっている。なお、この例の蒸気発生装置１における各熱交換器１７、１８の配置形態は一例であって、例えば両熱交換器１７、１８を筐体１５内に逆Ｖ字状に配置したり互いに所定間隔を有して対向するように配置する等、蒸気と温風を発生させ得る適宜の配置形態を採用することができる。
【００２０】
次に、このように浴室２に設置された蒸気発生装置１の動作の一例について説明する。この蒸気発生装置１は、例えば「ミスト暖房」「床暖房（床乾燥）」「ドライ暖房」「乾燥」等の運転モードで運転可能に構成されており、これらの各運転モードにおいて、蒸気発生装置１の各熱交換器１７、１８、拡散パイプ２０、送風ファン１９及びルーバ７が、例えば図５に示すように動作する。
【００２１】
先ず、拡散パイプ２０から湯水が拡散される「ミスト暖房」運転モードが選択された場合、すなわち、例えば浴槽４に入浴中の入浴者により、壁パネル３ａに設けた室内リモコン２５（図１参照）のミスト暖房スイッチがオンされた場合には、図５（ａ）に示すように、制御装置１１の制御信号によりルーバ７が閉位置から回動軸７ａを中心に回動して「開」状態に設定されると共に、給湯機の循環口から蒸気発生装置１の熱交換器１７、１８の温水供給管１７ｂ、１８ｂに所定温度（例えば８０℃以上）の温水がそれぞれ循環供給されて、各熱交換器１７、１８のフィン１７ａ、１８ａが所定温度までそれぞれ加温された作動状態（図ではＯＮ）となる。
【００２２】
この両熱交換器１７、１８の作動状態で送風ファン１９が作動（図ではＯＮ）すると、浴室２内から筐体１５内に吸い込まれた空気が、熱交換器１７、１８で加温されて温風になると共に、給湯機の作動によりその給湯口から拡散パイプ２０を介して所定温度の湯水が熱交換器１７の上部（すなわちフィン１７ａ上部）に拡散（図ではＯＮ）される。この拡散された湯水は、熱交換器１７のフィン１７ａに沿って下方に流れて排水孔２４から下フロア５ｂ上に流下し、下フロア５ｂ上を流れて排水口１０に排水される。
【００２３】
この湯水の熱交換器１７上への拡散により、筐体１５内の通風路を介して熱交換器１７のフィン１７ａ間に供給されている空気との間に圧力差が生じて拡散される湯水の一部が蒸気となる。この蒸気は筐体１５内の通風路を流れて熱交換器１８のフィン１８ａ間に供給されて加温されると共に、送風ファン１９を通過して吐出口２３から空間９内に吐出され、これが開放されているルーバ７の吹出口１２から上方の浴室２内に吹き出されて、浴室１２内が蒸気の充満した「ミスト暖房」状態となる。
【００２４】
また、例えば室内リモコン２５で床暖房運転スイッチがオンされて「床暖房」運転モードに設定された場合は、図５（ｂ）に示すように、ルーバ７が「閉」状態に設定されると共に、給湯機の循環口から熱交換器１８の温水供給管１８ｂに温水が供給されて、熱交換器１８のフィン１８ａが所定温度まで加温されて熱交換器１８が作動状態になると共に、送風ファン１９の作動で筐体１５内を流れる空気が温風となり、この温風が吐出口２３から空間９内に吐出される。この温風の吐出時にルーバ７は閉状態に設定されているため、温風が空間９内に充満して上フロア５ａを所定温度まで加温して床暖房状態（あるいは床乾燥状態）となる。この床暖房状態においては、ルーバ７が閉じていることから、浴室２内の洗い場（上フロア５ａのフロア面）は通常通り使用でき、また、空間９内に温風が充満するため空間９内の防黴効果等も得られることになる。
【００２５】
さらに、例えば室内リモコン２５でドライ暖房運転スイッチがオンされて「ドライ暖房」運転モードに設定された場合は、図５（ｃ）に示すように、ルーバ７が「開」状態に設定されると共に、給湯機の循環口から各熱交換器１７、１８の温水供給管１７ｂ、１８ｂに温水がそれぞれ供給されて、各熱交換器１７、１８の各フィン１７ａ、１８ａが所定温度までそれぞれ加温されて両熱交換器１７、１８が作動状態になると共に、送風ファン１９の作動で筐体１５内を流れる空気が温風となり、この温風が筐体１５の吐出口２３から空間９内に吐出される。この吐出口２３から空間９内に吐出される温風は、開状態のルーバ７の吹出口１２から上方の浴室２内に炊き出されて、浴室２内が乾いた温風で暖房されるドライ暖房状態となる。
【００２６】
また、例えば室外リモコン２６（図１参照）の乾燥運転スイッチがオンされた場合は、蒸気発生装置１やルーバ７は前記ドライ暖房運転時と同様に動作すると共に、浴室２の天井部分等に設けた換気ファン（図示せず）が作動することによって、浴室２内が乾燥状態となる。この乾燥運転時とドライ暖房運転時には、２台の熱交換器１７、１８が共に使用されて、短時間に所定量の温風を浴室２内に吹き出すことができる。なお、以上の具体的な動作は一例であって、例えば床暖房時にドライ暖房時と同様に２台の熱交換器１７、１８を使用して、床暖房や床乾燥を効率的に行うこともできるし、蒸気発生装置１に冷風機能を付与して上フロア５ａや浴室２内を冷やす運転モードを付設することもできる。
【００２７】
このように、上記実施形態の蒸気発生装置１にあっては、蒸気発生用の拡散パイプ２０を有する熱交換器１７と送風ファン１９等を筐体１５内に配置すると共に、この筐体１５を浴室２内の洗い場側フロア５のフロア面の下方に埋設状態で設置し、送風ファン１９が作動した際に熱交換器１７等で発生した蒸気をフロア面に設けた吹出口１２から浴室２内に吹き出すため、拡散パイプ２０から湯水を熱交換器１７上に拡散することにより蒸気の発生効率を向上させつつ、この蒸気や温風を洗い場側フロア５から浴室２内に向けて吹き出すことができる。
【００２８】
特に、筐体１５が洗い場側フロア５の下方に配置されることから、従来のような蒸気発生に伴う結露等が浴室２内に落下することがなくなり、結露落下による入浴者の不快感を解消することができると共に、筐体１５内に２台の熱交換器１７、１８が配置されていることから、蒸気や温風の発生効率を一層向上させることができて、浴室２内のミスト暖房状態やドライ暖房状態等を効率的に得ることができ、例えば快適なミスト入浴やドライ暖房入浴等が可能となる。
【００２９】
また、筐体１５が洗い場側フロア５のフロア面の下方に埋設状態で設置されるため、従来の蒸気発生装置のように浴室２内に突出することがなくなり、浴室２内のデサイン低下を防止して、すっきり感の得られる浴室２の提供が可能になると共に、蒸気発生装置１により浴室２内の寸法を小さく（狭く）することを防止することができる。また、洗い場側フロア５が吹出口１２を有する上フロア５ａと防水機能を有する下フロア５ｂの二重構造で構成され、上下フロア５ａ、５ｂ間の空間９内に蒸気発生装置１が設置されているため、蒸気発生装置１を洗い場側フロア５下方に簡易な構造で設置できると共に、拡散パイプ２０から拡散された湯水の回収を防水機能を有する下フロア５ｂで確実に行うことができて、排水構造等を簡略化することができる。
【００３０】
さらに、開閉可能に設けられたルーバ７の開放によって吹出口１２が形成されると共に、このルーバ７の開閉状態に応じて蒸気発生装置１の作動が制御装置１１により制御されるため、例えばルーバ７を閉じた状態で蒸気発生装置１の温風により上フロア５ａを暖房した床暖房状態や上フロア５ａを乾燥させる床乾燥状態を得ることができると共に、ルーバ７を開いた状態で蒸気や温風を吹出口１２から吹き出すことにより浴室２内にミスト暖房状態やドライ暖房状態等が得られる等、洗い場側フロア５を含めた浴室２内を入浴に快適な状態に簡単に設定することができる。また、１台の蒸気発生装置１を室内リモコン２５や室外リモコン２６の操作により各種運転状態に設定できて、蒸気発生装置１の使い勝手の向上を図ることが可能となる。
【００３１】
また、蒸気発生装置１が上フロア５ａと面一状態で着脱可能に配設されたフロア部材８の下方の空間９内に設置されているため、フロア部材９を取り外すことにより蒸気発生装置１の点検・修理等を簡単に行うことができて、そのメンテナンス性を高めることができる。また、蒸気発生装置１の筐体１５が下フロア５ｂ面から浮いた状態で配置されているため、洗い場で使用した湯水の筐体１５内への侵入を抑制して、蒸気発生装置１を長期に亘り安定した状態で使用することができる。またさらに、２つの熱交換器１７、１８を筐体１５内に効果的に配置しているため、筐体１５自体の外形寸法を小さくして、薄型扁平の蒸気発生装置１を得ることができて、洗い場側フロア５のフロア面下方にコンパクトに設置でき、浴室２内の寸法低下等を防止できると共に、例えばリフォーム時等に既存の浴室２に大きな変更を加えることなく対応することが可能となる。
【００３２】
図６〜図１１は、本発明に係る蒸気発生装置の第２〜第４実施形態を示している。以下、上記実施形態と同一部位には同一符号を付して説明する。先ず、図６及び図７に示す第２実施形態の蒸気発生装置１の特徴は、スリット状の開口２８ａを有する簀の子形状のフロア部材２８を浴室２の浴室ドア２７が設置される出入口部分に配置した点にある。すなわち、浴室２の浴室ドア２７が設置される壁パネル３ｃと壁パネル３ｄのコーナ部に、前述した開閉可能なルーバ７による吹出口１２ではなく、簀の子形状の開口２８ａを有する平面視略Ｌ字形状に形成されたフロア部材２８を着脱可能に配置すると共に、点線で示すように、コーナ部の下方に形成される空間９内に蒸気発生装置１を埋設状態で配置する。
【００３３】
この時、フロア部材２８の壁パネル３ｃ側の開口２８ａが吹出口として機能し、壁パネル３ｄ側の開口が吸気口として機能するように設定されている。この実施形態においても、フロア部材２８の壁パネル３ｃ側の開口２８ａから蒸気や温風を浴室２内に吹き出すことができて、上記第１実施形態と同様のミスト暖房状態やドライ暖房状態あるいは乾燥状態等を得ることができる他に、浴室２に連設される脱衣場等へ湯水が流れ出てしまうことを防ぐことができる。
【００３４】
この例の場合、フロア部材２８は平面視Ｌ字形状に限らず、浴室ドア２７が設置される壁パネル３ｃ側のみに設けることも勿論可能であるし、簀の子形状の開口２８ａの下方に前記ルーバ７を配設して、開口２８ａを第１実施形態と同様に開閉動作可能に構成すると共に、空間９内の温風を上フロア５ｂ下部の全域に適宜のダクト等で導くようにすれば、上記第１実施形態の床暖房状態等を得ることも可能である。
【００３５】
また、図８及び図９に示す第３実施形態の蒸気発生装置１の特徴は、前記カウンター６下方の洗い場側フロア５に開口３０を設けると共に、この開口３０下方の空間９内に蒸気発生装置１を配置した点にある。すなわち、上フロア５ａの壁パネル３ｂ側端部で給湯・給水配管等の配管立ち上げ部２９に吹出口として機能するスリット状の開口３０を形成し、この開口３０下方の空間９で壁パネル３ｂ側に蒸気発生装置１を設置する。この実施形態においても、上フロア５ａの開口３０から吹き出された蒸気や温風が、板状のカウンター６の前面下方から前方の浴室２内に吹き出されて、上記実施形態と同様の運転状態を得ることができる。
【００３６】
また、この実施形態の場合は、開口３０が入浴者に視認され難い位置に設けられることから、上フロア５ａの意匠性の低下を防止できると共に、開口３０がフロア面より一段高い配管立ち上げ部２９に設けられていることから、洗い場で使用した湯水の開口３０を介した空間９内への侵入を抑制できて、蒸気発生装置１の防水構造を簡略化して安価な設置構造が得られることになる。この例の場合、図の二点鎖線で示すようにカウンター６がエプロン６ａを有する場合は、該エプロン６ａの所定位置に吹出口３１を設けるようにすれば良い。
【００３７】
また、図１０に示す第４実施形態の蒸気発生装置１の特徴は、洗い場側フロア５の凹部３２内に設置された蒸気発生装置１を覆う着脱可能なフロア部材３３を、取り外した際に椅子として使用できるようにした点にある。すなわち、洗い場側フロア５の所定位置に所定深さの凹部３２を一体形成し、この凹部３２内に蒸気発生装置１を埋設状態で設置すると共に、凹部３２の上面開口部に開閉可能なルーバ７を配置し、かつこのルーバ７の上部に下面が開口した箱状のフロア部材３３を着脱可能に配設する。
【００３８】
そして、図の実線で示すように、フロア部材３３が装着された状態においては、フロア部材３３の上面が洗い場側フロア５のフロア面と面一に設定されて通常の洗い場として使用され、この状態においては、ルーバ７で形成される吹出口１２が閉塞されていることから、浴室２内に前記床暖房状等が得られることになる。また一方、フロア部材３３を図の二点鎖線で示すように、凹部３２から取り外した際には、このフロア部材３３を例えば凹部３２側方のフロア面上に伏せた状態で置くことにより、フロア部材３３を椅子して使用でき、このフロア部材３３を取り外した状態でルーバ７を開放させることにより、浴室２内に前記ミスト暖房状態やドライ暖房状態あるいは乾燥状態等が得られることになる。
【００３９】
この第４実施形態におけるフロア部材３３は、箱状に限らず例えば図１１に示すように、巻き取り可能な略平板状に形成することもできる。この第４実施形態においても、上記実施形態と同様の作用効果が得られる他に、フロア部材３３の付加価値を高めて、使い勝手に優れた浴室２の提供が可能となる。
【００４０】
なお、本発明は、上記した各実施形態のそれぞれに限定されるものではなく、例えば第４実施形態のフロア部材３２の構成を第１実施形態のフロア部材８に適用する等、各実施形態の一部もしくは全てを適宜に組み合わせた構成とすることもできる。また、上記各実施形態においては、筐体１５内に２台の熱交換器１７、１８を配置した例について説明したが、熱交換器は一台でも良いし、筐体１５に設けられる吸気口２２や吐出口２３の位置等も、蒸気発生装置１が設置されるフロアの部位等に応じて適宜に変更することができる。さらに、上記実施形態における、蒸気発生装置１の全体構成やその運転形態、浴室２のフロア構造、吹出口１２や開口２８ａ、３０の構成等も一例であって、本発明に係わる各発明の要旨を逸脱しない範囲において適宜に変更することができる。
【産業上の利用可能性】
【００４１】
本発明は、浴室のフロア下方に設置される蒸気発生装置に限らず、例えば浴室以外のサウナルームやシャワールーム等のフロア下方に設置される蒸気発生装置にも適用できる。
【図面の簡単な説明】
【００４２】
【図１】本発明に係わる蒸気発生装置の設置構造の第１実施形態を採用した浴室の平面図
【図２】同蒸気発生装置の設置部分の縦断面図
【図３】同そのルーバの動作状態の縦断面図
【図４】同蒸気発生装置の構成図
【図５】同その動作の一例を示す説明図
【図６】本発明に係わる設置構造の第２実施形態を示す平面図
【図７】同縦断面図
【図８】本発明に係わる設置構造の第３実施形態を示す平面図
【図９】同縦断面図
【図１０】本発明に係わる設置構造の第４実施形態を示す縦断面図
【図１１】同その変形例を示す縦断面図
【符号の説明】
【００４３】
１・・・蒸気発生装置、２・・・浴室、４・・・浴槽、５・・・洗い場側フロア、５ａ・・・上フロア、５ｂ・・・下フロア、６・・・カウンター、６ａ・・・エプロン、７・・・ルーバ、８・・・フロア部材、９・・・空間、１０・・・排水口、１１・・・制御装置、１２・・・吹出口、１５・・・筐体、１７、１８・・・熱交換器、１７ａ、１８ａ・・・フィン、１７ｂ、１８ｂ・・・温水供給管、１９・・・送風ファン、２０・・・拡散パイプ、２２・・・吸気口、２３・・・吐出口、２４・・・排水孔、２７・・・浴室ドア、２８・・・フロア部材、２８ａ・・・開口、２９・・・配管立ち上げ部、３０・・・開口、３１・・・吹出口、３２・・・凹部、３３・・・フロア部材。
【図１】
2007143902.tif 000003
【図２】
2007143902.tif 000004
【図３】
2007143902.tif 000005
【図４】
2007143902.tif 000006
【図５】
2007143902.tif 000007
【図６】
2007143902.tif 000008
【図７】
2007143902.tif 000009
【図８】
2007143902.tif 000010
【図９】
2007143902.tif 000011
【図１０】
2007143902.tif 000012
【図１１】
2007143902.tif 000013